(57)【要約】【課題】締結作業を容易に行うことのできる締結具を提供する。【解決手段】プラスドライバ１００は、プラスネジを回転させることによって締結するプラスドライバであって、プラスネジと係合可能である刃先部２と、刃先部２の持ち手側に固定され、かつ中空部１１を含む把持部１とを備える。刃先部２は、内径側部分２１と、内径側部分２１の外周を取り囲むように設けられた外径側部分２２とを含む。外径側部分２２は、刃先側の位置と持ち手側の位置との間で、回転軸Ｒに沿って中空部１１内を移動可能である。外径側部分２２が刃先側の位置にある状態で、刃先部２は一のサイズのプラスネジを締結可能であり、外径側部分２２が持ち手側の位置にある状態で、刃先部２は一のサイズとは異なる他のサイズのプラスネジを締結可能である。【選択図】図２
2012131005.tif 000002
【特許請求の範囲】
【請求項１】
締結部材を回転させることによって締結する締結具であって、
前記締結部材と係合可能である第１の部分と、
前記第１の部分に固定され、かつ中空部を含む第２の部分とを備え、
前記第１の部分は、内径側部分と、前記内径側部分の外周を取り囲むように設けられた外径側部分とを含み、
前記内径側または外径側部分は、前記第２の部分から相対的に遠い側にある第１の位置と、前記第２の部分から相対的に近い側にある第２の位置との間で、前記締結部材を回転させる際の回転軸に沿って前記中空部内を移動可能であり、
前記内径側または外径側部分が前記第１の位置にある状態で、前記第１の部分は一のサイズの締結部材を締結可能であり、
前記内径側または外径側部分が前記第２の位置にある状態で、前記第１の部分は前記一のサイズとは異なる他のサイズの締結部材を締結可能である、締結具。
【請求項２】
前記内径側および外径側部分は、前記締結部材と係合可能な一の係合部を構成可能である、請求項１に記載の締結具。
【請求項３】
前記外径側部分が前記第１の位置にある状態で、前記第１の部分は相対的に大きいサイズの溝であって、かつマイナス溝、プラス溝、および六角形溝のうち少なくともいずれかの溝を有する締結部材を締結可能であり、
前記外径側部分が前記第２の位置にある状態で、前記第１の部分は相対的に小さいサイズの溝であって、かつマイナス溝、プラス溝、および六角形溝のうち少なくともいずれかの溝を有する締結部材を締結可能である、請求項１または２に記載の締結具。
【請求項４】
前記内径側部分が前記第１の位置にある状態で、前記第１の部分は相対的に小さいサイズの六角ナットを締結可能であり、
前記内径側部分が前記第２の位置にある状態で、前記第１の部分は相対的に大きいサイズの六角ナットを締結可能である、請求項１に記載の締結具。
【請求項５】
前記内径側または外径側部分を前記第２の部分から相対的に遠い側に付勢する付勢部材と、
前記中空部内に突出することにより、前記付勢部材の付勢力に抗して前記内径側または外径側部分の位置を固定可能な固定部材とをさらに備えた、請求項１〜４のいずれかに記載の締結具。
【発明の詳細な説明】
【技術分野】
【０００１】
本発明は締結具に関し、より特定的には、締結部材を回転させることによって締結する締結具に関する。
【背景技術】
【０００２】
物体を固定する方法として、ネジ、ボルト、または六角ナットなどの締結部材を締結する方法がある。これらの締結部材を締結する際には、プラスドライバ、マイナスドライバ、スクリュドライバ、ソケットレンチ、または六角レンチなど、締結部材の形状（種類）に適した締結具が用いられる。また、１つの形状の締結部材の中にも様々なサイズのものがあり、複数のサイズの締結部材を締結する必要がある場合には、締結部材のサイズごとに締結具を用意し、締結部材のサイズに合わせて締結具をその都度交換して使用しなければならない。サイズの合わない締結具を用いて締結部材を無理に締結しようとすると、締結部材の破損を招くおそれがあるためである。したがって従来の締結具には、締結作業が煩雑であるという問題があった。
【０００３】
ここで、下記特許文献１には、異なる径のドリルを差し替え挿入可能な電動ドライバのドリルチャック機構が提案されている。下記特許文献１のドリルチャック機構においては、ドライバビットが固定された電動ドライバに対してドライバビット嵌脱機構が取り付けられており、電動ドライバに固定されたドライバビットとは異なる種類のドライバビットがドライバビット嵌脱機構に取り付けられている。
【先行技術文献】
【特許文献】
【０００４】
【特許文献１】特開２００５−２８８６８０号公報
【発明の概要】
【発明が解決しようとする課題】
【０００５】
しかしながら、特許文献１の技術においても、ネジのサイズごとにドライバビットを用意し、ネジのサイズに合わせてドライバビットをその都度交換する必要があり、締結作業の煩雑さを解消することはできなかった。
【０００６】
本発明は、上記課題を解決するものであり、その目的は、締結作業を容易に行うことのできる締結具を提供することである。
【課題を解決するための手段】
【０００７】
本発明の一の局面に従う締結具は、締結部材を回転させることによって締結する締結具であって、締結部材と係合可能である第１の部分と、第１の部分に固定され、かつ中空部を含む第２の部分とを備え、第１の部分は、内径側部分と、内径側部分の外周を取り囲むように設けられた外径側部分とを含み、内径側または外径側部分は、第２の部分から相対的に遠い側にある第１の位置と、第２の部分から相対的に近い側にある第２の位置との間で、締結部材を回転させる際の回転軸に沿って中空部内を移動可能であり、内径側または外径側部分が第１の位置にある状態で、第１の部分は一のサイズの締結部材を締結可能であり、内径側または外径側部分が第２の位置にある状態で、第１の部分は一のサイズとは異なる他のサイズの締結部材を締結可能である。
【０００８】
上記締結具において好ましくは、内径側および外径側部分は、締結部材と係合可能な一の係合部を構成可能である。
【０００９】
上記締結具において好ましくは、外径側部分が第１の位置にある状態で、第１の部分は相対的に大きいサイズの溝であって、かつマイナス溝、プラス溝、および六角形溝のうち少なくともいずれかの溝を有する締結部材を締結可能であり、外径側部分が第２の位置にある状態で、第１の部分は相対的に小さいサイズの溝であって、かつマイナス溝、プラス溝、および六角形溝のうち少なくともいずれかの溝を有する締結部材を締結可能である。
【００１０】
上記締結具において好ましくは、内径側部分が第１の位置にある状態で、第１の部分は相対的に小さいサイズの六角ナットを締結可能であり、内径側部分が第２の位置にある状態で、第１の部分は相対的に大きいサイズの六角ナットを締結可能である。
【００１１】
上記締結具において好ましくは、内径側または外径側部分を第２の部分から相対的に遠い側に付勢する付勢部材と、中空部内に突出することにより、付勢部材の付勢力に抗して内径側または外径側部分の位置を固定可能な固定部材とをさらに備える。
【発明の効果】
【００１２】
本発明によれば、締結作業を容易に行うことのできる締結具を提供することができる。
【図面の簡単な説明】
【００１３】
【図１】本発明の第１の実施の形態におけるプラスドライバの構成を示す正面図である。
【図２】図１のＩＩ−ＩＩ線に沿った断面図である。
【図３】図１の係合部の拡大斜視図である。
【図４】本発明の第１の実施の形態におけるプラスドライバにおいて、外径側部分が持ち手側の位置にある状態を示す正面図である。
【図５】図４中Ｖ−Ｖ線に沿った断面図である。
【図６】本発明の第２の実施の形態におけるプラグレンチの一部の構成を示す斜視図である。
【図７】図６のＶＩＩ−ＶＩＩ線に沿った断面図である。
【図８】本発明の第２の実施の形態におけるプラグレンチにおいて、内径側部分が持ち手側の位置にある状態を示す斜視図である。
【図９】図８中ＩＸ−ＩＸ線に沿った断面図である。
【図１０】本発明の他の実施の形態におけるマイナスドライバの構成を示す斜視図である。
【図１１】本発明の他の実施の形態における六角レンチの構成を示す斜視図である。
【発明を実施するための形態】
【００１４】
以下、本発明の実施の形態について、図面に基づいて説明する。
【００１５】
［第１の実施の形態］
図１は、本発明の第１の実施の形態におけるプラスドライバの構成を示す正面図である。なお本実施の形態において、図１中左側を刃先側と呼び、図１中右側を持ち手側と呼ぶことがある。
【００１６】
図１を参照して、本実施の形態における締結具としてのプラスドライバ１００は、たとえば樹脂などよりなる把持部１と、たとえば鋼などよりなる刃先部２とを備えている。刃先部２はたとえば棒状の形状を有しており、把持部１は刃先部２の持ち手側端部に固定されている。刃先部２はその刃先側端部に、図示しないプラスネジ（プラス溝を有する締結部材）と係合可能な係合部３を有している。プラスドライバ１００の使用者は、把持部１を手で持ち、プラスネジを係合部３に係合させて回転させる。これにより、プラスネジを締結し、プラスネジによって物体が固定される。
【００１７】
図２は、図１のＩＩ−ＩＩ線に沿った断面図である。
【００１８】
図１および図２を参照して、把持部１は、中空部１１を含んでいる。中空部１１は、刃先側が外部に解放された形状を有している。
【００１９】
刃先部２は、内径側部分２１と、外径側部分２２と、付勢部材２３と、固定部材２４とを含んでいる。内径側部分２１は、棒状の形状を有しており、その持ち手側端部が中空部１１内に挿入された状態で把持部１に固定されている。外径側部分２２は円筒状の形状を有しており、内径側部分２１の外周を取り囲んでいる。外径側部分２２の持ち手側端部は、中空部１１内に挿入されている。外径側部分２２は、プラスネジを回転させる際の回転軸Ｒに沿って中空部１１内を移動可能である。図１および図２においては、外径側部分２２が刃先側（把持部１から相対的に遠い側）の位置にある状態が示されており、以降、図１および図２の状態を、外径側部分が刃先側の位置にある状態と呼ぶことがある。
【００２０】
付勢部材２３は、たとえばバネなどの弾性体よりなっており、中空部１１内においてたとえば内径側部分２１を取り囲むよう設けられている。付勢部材２３の持ち手側端部は中空部１１の壁面１２に固定されており、付勢部材２３の刃先側端部は外径側部分２２の持ち手側端部に固定されている。外径側部分２２が刃先側の位置にある状態では、付勢部材２３は自然長の状態にあり、付勢部材２３から付勢力は発生していない。
【００２１】
把持部１の外周には孔１３が設けられており、孔１３内には固定部材２４が回転軸Ｒに対して垂直な方向（図１中縦方向）に移動可能に配置されている。内径側部分２１の外周における固定部材２４に対応する位置には溝２５が設けられており、外径側部分２２の所定の位置には内径側部分２１に到達する孔２６が設けられている。固定部材２４は中空部１１内に突出して溝２５および孔２６と係合することにより、外径側部分２２の位置を固定可能である。固定部材２４の機能については後述する。
【００２２】
図３は、図１の係合部の拡大斜視図である。
【００２３】
図３を参照して、係合部３は、複数の突起部３１と、複数の溝部３２とを有している。突起部３１と溝部３２とは、刃先部２の外周に沿って交互に設けられている。外径側部分２２が刃先側の位置にある状態では、内径側部分２１と外径側部分２２とが面一となり、内径側部分２１と外径側部分２２とにより係合部３が構成される。この係合部３は、大きいサイズのプラスネジを回転および締結可能であるように、大きいサイズのプラス溝に対応した形状となる。
【００２４】
図４および図５は、本発明の第１の実施の形態におけるプラスドライバにおいて、外径側部分が持ち手側の位置にある状態を示す図である。図４は正面図であり、図５は図４中Ｖ−Ｖ線に沿った断面図である。
【００２５】
図４および図５を参照して、使用者は外径側部分２２を押すことにより、外径側部分２２を持ち手側の位置（把持部１から相対的に近い側）に移動させることができる。外径側部分２２の移動の際、内径側部分２１は把持部１に固定されているため移動しない。以降、図４および図５の状態を、外径側部分が持ち手側の位置にある状態と呼ぶことがある。
【００２６】
外径側部分２２が持ち手側の位置にある状態では、孔２６が溝２５と連通する。溝２５および孔２６内に固定部材２４が使用者によって挿入されると、固定部材２４は中空部１１内に突出していない状態から中空部１１内に突出した状態へと変化する。外径側部分２２が持ち手側の位置にある状態では、付勢部材２３は自然長よりも縮んだ状態にあるため、外径側部分２２は、刃先側に付勢する付勢力を付勢部材２３から受けている。しかし、固定部材２４を中空部１１内に突出させて溝２５および孔２６内に挿入することにより、付勢部材２３の付勢力に抗して外径側部分２２を持ち手側の位置に固定することができる。一方、固定部材２４によって外径側部分２２が固定されない場合には、付勢部材２３の付勢力により、外径側部分２２は刃先側の位置にある状態となる。
【００２７】
外径側部分２２が持ち手側の位置にある状態では、内径側部分２１に形成された突起部３１および溝部３２から、外径側部分２２に形成された突起部３１および溝部３２が分離し、内径側部分２１に形成された突起部３１および溝部３２により係合部３が構成される。この係合部３は、外径側部分２２が刃先側の位置にある状態の係合部よりも小さいサイズのプラスネジを回転および締結可能であるように、小さいサイズのプラス溝に対応した形状となる。
【００２８】
［第２の実施の形態］
図６は、本発明の第２の実施の形態におけるプラグレンチの一部の構成を示す斜視図である。図７は、図６のＶＩＩ−ＶＩＩ線に沿った断面図である。なお本実施の形態において、図７中左側を刃先側と呼び、図７中右側を持ち手側と呼ぶことがある。
【００２９】
図６および図７を参照して、本実施の形態における締結具としてのプラグレンチ１１０は、たとえば鋼などよりなる把持部１と、たとえば鋼などよりなる刃先部２とを備えている。刃先部２はたとえば円筒状の形状を有しており、把持部１は刃先部２の持ち手側端部に固定されている。刃先部２はその刃先側端部に、図示しない六角ナットと係合可能な係合部３を有している。プラグレンチ１１０の使用者は、把持部１を手で持ち、六角ナットを係合部３に係合させて回転させる。これにより、図示しないボルトなどに対して六角ナットを締結し、ボルトなどと六角ナットとによって物体が固定される。
【００３０】
把持部１はたとえば持ち手側が棒状であり、かつ刃先側端部がキャップ状であるような形状を有している。把持部１は、中空部１１を含んでいる。中空部１１は、刃先側が外部に解放された形状を有している。
【００３１】
刃先部２は、内径側部分２１と、外径側部分２２と、付勢部材２３と、固定部材２４とを含んでいる。内径側部分２１および外径側部分２２は、いずれも円筒状の形状を有しており、六角形状の断面形状を有する中空部分を有している。外径側部分２２は内径側部分２１の外周を取り囲んでいる。外径側部分２２は、把持部１に固定されており、たとえば把持部１と一体化して形成されている。内径側部分２１の持ち手側端部は、中空部１１内に挿入されている。内径側部分２１は、六角ナットを回転させる際の回転軸Ｒに沿って中空部１１内を移動可能である。図６および図７においては、内径側部分２１が刃先側（把持部１から相対的に遠い側）の位置にある状態が示されており、以降、図６および図７の状態を、内径側部分が刃先側の位置にある状態と呼ぶことがある。
【００３２】
なお、図６および図７において省略された把持部１の構成は任意であり、図６および図７に示す刃先部２と同様の刃先部が把持部１の省略された端部に設けられていてもよいし、六角ナットに対して大きな回転トルクを加えるためのハンドルなどが把持部１に設けられていてもよい。
【００３３】
付勢部材２３は、たとえばバネなどの弾性体よりなっており、中空部１１内に設けられている。付勢部材２３の持ち手側端部は中空部１１の壁面１２に固定されており、付勢部材２３の刃先側端部は内径側部分２１の持ち手側端部に固定されている。内径側部分２１が刃先側の位置にある状態では、付勢部材２３は自然長の状態にあり、付勢部材２３から付勢力は発生していない。
【００３４】
把持部１の外周には孔１３が設けられており、孔１３内には固定部材２４が回転軸Ｒに対して垂直な方向（図６および図７中縦方向）に移動可能に配置されている。内径側部分２１の所定の位置には孔２７が設けられている。固定部材２４は中空部１１内に突出して孔２７と係合することにより、内径側部分２１の位置を固定可能である。固定部材２４の機能については後述する。
【００３５】
内径側部分２１が刃先側の位置にある状態では、内径側部分２１の刃先側端面と外径側部分２２の刃先側端面とがたとえば面一となり、内径側部分２１の内壁面によって係合部３が構成される。このとき外径側部分２２の内壁面は係合部３を構成せず、内径側部分２１の外壁面と接触している。この係合部３は、小さいサイズの六角ナットを回転および締結可能であるように、小さいサイズの六角ナットの外形に対応した形状となる。
【００３６】
図８および図９は、本発明の第２の実施の形態におけるプラグレンチにおいて、内径側部分が持ち手側の位置にある状態を示す図である。図８は斜視図であり、図９は図８中ＩＸ−ＩＸ線に沿った断面図である。
【００３７】
図８および図９を参照して、使用者は内径側部分２１を押すことにより、内径側部分２１を持ち手側の位置（把持部１から相対的に近い側）まで移動させることができる。内径側部分２１の移動の際、外径側部分２２は把持部１に固定されているため移動しない。以降、図８および図９の状態を、内径側部分が持ち手側の位置にある状態と呼ぶことがある。
【００３８】
内径側部分２１が持ち手側の位置にある状態では、孔１３が孔２７と連通する。孔２７内に固定部材２４が使用者によって挿入されると、固定部材２４は中空部１１内に突出していない状態から中空部１１内に突出した状態へと変化する。内径側部分２１が持ち手側の位置にある状態では、付勢部材２３は自然長よりも縮んだ状態にあるため、内径側部分２１は、刃先側に付勢する付勢力を付勢部材２３から受けている。しかし、固定部材２４を中空部１１内に突出させて孔２７内に挿入することにより、付勢部材２３の付勢力に抗して内径側部分２１を持ち手側の位置に固定することができる。一方、固定部材２４によって内径側部分２１が固定されない場合には、付勢部材２３の付勢力により、内径側部分２１は刃先側の位置にある状態となる。
【００３９】
内径側部分２１が持ち手側の位置にある状態では、内径側部分２１が中空部１１の奥に引込み、外径側部分２２の内壁面によって係合部３が構成される。この係合部３は、内径側部分２１が刃先側の位置にある状態の係合部よりも大きいサイズの六角ナットを回転および締結可能であるように、大きいサイズの六角ナットの外形に対応した形状となる。
【００４０】
［実施の形態の効果］
上述の実施の形態によれば、外径側部分（第２の実施の形態では内径側部分）が刃先側の位置にある状態で、刃先部は一のサイズの締結部材を締結可能であり、外径側部分（第２の実施の形態では内径側部分）が持ち手側の位置にある状態で、刃先部は一のサイズとは異なる他のサイズの締結部材を締結可能である。このため、１つの締結具によって様々なサイズの締結部材を締結することができ、締結作業を容易に行うことができる。
【００４１】
また、内径側および外径側部分が締結部材と係合可能な一の係合部を構成可能であることにより、締結部材との係合部分の面積を大きくすることができ、締結作業を容易に行うことができる。
【００４２】
また第１の実施の形態では、外径側部分が刃先側の位置にある状態で、刃先部は相対的に大きいサイズの溝であって、かつマイナス溝、プラス溝、および六角形溝のうち少なくともいずれかの溝を有する締結部材を締結可能であり、外径側部分が持ち手側の位置にある状態で、刃先部は相対的に小さいサイズの溝であって、かつマイナス溝、プラス溝、および六角形溝のうち少なくともいずれかの溝を有する締結部材を締結可能である。これにより、様々なサイズのマイナスネジ、プラスネジ、または六角穴付きボルトを締結することができる。
【００４３】
また第２の実施の形態では、内径側部分が刃先側にある状態で、刃先部は相対的に小さいサイズの六角ナットを締結可能であり、かつ内径側部分が持ち手側第２の位置にある状態で、第１の部分は相対的に大きいサイズの六角ナットを締結可能であることにより、様々なサイズの六角ナットを締結することができる。
【００４４】
さらに、内径側部分または外径側部分を刃先側に付勢する付勢部材と、中空部内に突出することにより、付勢部材の付勢力に抗して内径側部分または外径側部分の位置を固定可能な固定部材とをさらに備えることにより、内径側部分または外径側部分の位置を固定しやすくなる。
【００４５】
［その他］
上述の実施の形態においては、刃先部が２つの部材（内径側部分および外径側部分）に分割されている場合に付いて示したが、刃先部は３つ以上の部材に分割されていてもよい。刃先部を数多くの部材に分割することにより、締結具が締結可能な締結部材のサイズの幅を広げることができる。
【００４６】
上述の第１および第２の実施の形態において、固定部材は、付勢部材の付勢力に抗して内径側または外径側部分の位置を固定可能なものであればよく、固定部材の位置および個数などに関して上述以外の構成を採ることも可能である。また固定部材および付勢部材は省略されてもよい。
【００４７】
上述の第１および第２の実施の形態において、外径側部分（第２の実施の形態においては内径側部分）が刃先側の位置にある状態で、固定部材は外径側部分（第２の実施の形態においては内径側部分）をさらに固定してもよい。このような構成は、たとえば図２において、外径側部分２２における矢印Ａで示す位置に孔をさらに形成することにより実現可能である。
【００４８】
本発明の締結具は、締結部材を回転させることによって締結する締結具であればよく、第１の実施の形態のプラスドライバや第２の実施の形態のプラグレンチの他、図１０に示すマイナスドライバや、図１１に示す六角レンチなどであってもよい。
【００４９】
図１０に示すマイナスドライバ１２０において、刃先部２は、内径側部分２１と、内径側部分２１の外周を取り囲むように設けられた外径側部分２２とを含んでいる。外径側部分２２は、図示しないマイナスネジ（マイナス溝を有する締結部材）を回転させる際の回転軸Ｒに沿って移動可能である。図１０に示すように外径側部分２２が刃先側（図１０中下側）の位置にある状態では、内径側部分２１と外径側部分２２とが面一となり、内径側部分２１と外径側部分２２とにより係合部３が構成される。この係合部３は、大きいサイズのマイナスネジを回転および締結可能であるように、大きいサイズのマイナス溝に対応した形状となる。一方、外径側部分２２が最も持ち手側の位置（図１０中上側）にある状態では、内径側部分２１の刃先側端面から外径側部分２２の刃先側端面が分離し、内径側部分２１のみにより係合部３が構成される。この係合部３は、外径側部分２２が刃先側の位置にある状態の係合部よりも小さいサイズのマイナスネジを回転および締結可能であるように、小さいサイズのマイナス溝に対応した形状となる。
【００５０】
図１１に示す六角レンチ１３０において、刃先部２は、内径側部分２１と、内径側部分２１の外周を取り囲むように設けられた外径側部分２２とを含んでいる。内径側部分２１および外径側部分２２は、いずれも六角形状の断面形状を有している。外径側部分２２は、図示しない六角穴付きボルト（六角形溝を有する締結部材）と係合可能な係合部３を有しており、六角穴付きボルトを回転させる際の回転軸Ｒに沿って移動可能である。図１１に示すように外径側部分２２が刃先側（図１１中左下側）の位置にある状態では、内径側部分２１と外径側部分２２とが面一となり、外径側部分２２の外形により係合部３が構成される。この係合部３は、大きいサイズの六角穴付きボルトを回転および締結可能であるように、大きいサイズの六角形溝に対応した形状となる。一方、外径側部分２２が持ち手側の位置（図１１中右上側）にある状態では、内径側部分２１の刃先側端面から、外径側部分２２の刃先側端面が分離し、内径側部分２１の外形のみにより係合部３が構成される。この係合部３は、外径側部分２２が刃先側の位置にある状態の係合部よりも小さいサイズの六角穴付きボルトを回転および締結可能であるように、小さいサイズの六角形溝に対応した形状となる。
【００５１】
なお、図１０に示すマイナスドライバ１２０および図１１に示す六角レンチ１３０における上記以外の構成は、第１の実施の形態におけるプラスドライバの構成と同様であるため、その説明は繰り返さない。
【００５２】
上述の実施の形態は適宜組み合わせることができる。たとえば図１０に示すマイナスドライバ１２０および図１１に示す六角レンチ１３０に対して、第１の実施の形態に示す固定部材および付勢部材を設けてもよい。
【００５３】
上述の実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００５４】
１  把持部
２  刃先部
３  係合部
１１  中空部
１２  壁面
１３，２６，２７  孔
２１  内径側部分
２２  外径側部分
２３  付勢部材
２４  固定部材
２５  溝
３１  突起部
３２  溝部
１００  プラスドライバ
１１０  プラグレンチ
１２０  マイナスドライバ
１３０  六角レンチ
Ｒ  回転軸
【図１】
2012131005.tif 000003
【図２】
2012131005.tif 000004
【図３】
2012131005.tif 000005
【図４】
2012131005.tif 000006
【図５】
2012131005.tif 000007
【図６】
2012131005.tif 000008
【図７】
2012131005.tif 000009
【図８】
2012131005.tif 000010
【図９】
2012131005.tif 000011
【図１０】
2012131005.tif 000012
【図１１】
2012131005.tif 000013